Podtech/llm-jp-corpus-v4-ja_patent huggingface dataset:
(57)【要約】【課題】外出先でティッシュペーパーを使用する際、ポケットティッシュはビニールの袋にティッシュペーパーを収納しているため、ティッシュペーパーを取り出しにくく、袋が破れやすい。収納枚数が少ないので外出先で不足することもある。また、従来のティッシュボックスを持っていくと大きくかさばってしまう。  本発明は、外出先でティッシュペーパーを使うための、ティッシュボックスを提供する。【解決手段】薄型の矩形の収納箱の上部にティッシュペーパーの取り出し口を設け、収納箱の下部に開口部を設け、じゃばら折りにしたティッシュペーパーを収納し、箱の下部開口部より押出具を嵌めこむことを特徴とするティッシュボックス。【選択図】図１
2013112423.tif 000002
【特許請求の範囲】
【請求項１】
薄型の矩形の収納箱の上部にティッシュペーパーの取り出し口を設け、収納箱の下部に開口部を設け、じゃばら折りにしたティッシュペーパーを積層させ収納し、箱の下部開口部より押出具を嵌めこんだティッシュボックス。
【発明の詳細な説明】
【技術分野】
【０００１】    本発明は、外出先で使用されるティッシュペーパーの収納箱、及び該収納箱内部にティッシュペーパーを収納して成る、ティッシュペーパー収納製品に関するものである。
【背景技術】
【０００２】    従来、外出先でティッシュペーパーを使うとすれば、ポケットティッシュやティッシュボックスが一般的によく知られている。
【発明の概要】
【発明が解決しようとする課題】
【０００３】    外出先でティッシュペーパーを使用する際、ポケットティッシュはビニールの袋にティッシュペーパーを収納しているため、ティッシュペーパーを取り出しにくく、袋が破れやすい。収納枚数が少ないので外出先で不足することもある。また、従来のティッシュボックスを持っていくと大きくかさばってしまう。
本発明は、以上の問題点を解決するためになされたものである。
【課題を解決するための手段】
【０００４】    薄型の矩形の収納箱の上部にティッシュペーパーの取り出し口を設け、収納箱の下部に開口部を設け、じゃばら折りにしたティッシュペーパーを収納し、箱の下部開口部より押出具を嵌めこむ。
【発明の効果】
【０００５】    外出先でもティッシュペーパーが取り出しやすくなる。ティッシュペーパーの収納箱が丈夫になり、収納枚数も増える。従来のティッシュボックスのようにかさばることもない。
【図面の簡単な説明】
【０００６】
【図１】本発明のティッシュペーパー単体の斜視図
【図２】本発明のティッシュペーパーを折り畳んだ状態を示す斜視図
【図３】本発明のティッシュペーパーを積層させた状態を示す斜視図
【図４】本発明のティッシュペーパーを収納する収納箱および上部取出口の斜視図
【図５】本発明の収納箱下部開口部および押出具の斜視図
【図６】本発明の収納箱および押出具の断面図
【発明を実施するための形態】
【０００７】    以下、本発明の実施の形態を説明する。
（イ）従来の構造のティッシュペーパーを半分に折り曲げた、ティッシュペーパー（１）      を、略均等に配置した折れ線（２）により、じゃばらに折り、折畳部（３）を形成      する。この時、折畳部の高さは収納箱よりも低くする。
（ロ）図３に示すとおり、ティッシュペーパー（１）が、折り重ねられ積層体（４）を形      成している。この時、端部は上に向いている状態とする。それぞれのティッシュペ      ーパーは、少なくとも全体の三分の一が重ね合わさり積層体を形成している。好ま      しくは折畳部が３つに重なっている状態とする。
（ハ）収納箱（５）は、奥行き１０ｍｍ〜２０ｍｍ、幅９５ｍｍ〜１０５ｍｍ、高さ１０      ０ｍｍ〜１５０ｍｍの直方体状に形成する。
（ニ）収納箱（５）の上部に取出口（６）を設ける。
（ホ）収納箱（５）の下部に開口部（７）を設ける。
（ヘ）折り重ねられた積層体（４）を開口部（７）より収納する。
（ト）押出具（８）は、奥行き１０ｍｍ〜２０ｍｍ、幅９５ｍｍ〜１０５ｍｍ、高さ１０      ｍｍ〜１５ｍｍとなっており、高さよりも幅の方が長い直方体状に形成する。
（チ）収納箱（５）の開口部（７）より押出具（８）を嵌めこむ。
本発明は以上のような構造である。
本発明を使用するときは、上部取出口（６）よりティッシュペーパー（１）を取り出し使用する。またティッシュペーパー（１）が少なくなってきたら図６に示すように押出具（８）を、上部取出口（６）に向かって指で押し上げると、ティッシュペーパー（１）が取り出しやすい。
【符号の説明】
【０００８】１ティッシュペーパー、２折れ線、３折畳部、４積層体、５収納箱、６取出口、７開口部、８押出具
【図１】
2013112423.tif 000003
【図２】
2013112423.tif 000004
【図３】
2013112423.tif 000005
【図４】
2013112423.tif 000006
【図５】
2013112423.tif 000007
【図６】
2013112423.tif 000008
(57)【要約】【課題】両面粘着テープの剥離紙を爪や刃先を使わず容易に剥がすことができ、剥がした剥離紙を支持する両面粘着テープの剥離紙剥がし具を提供する。【解決手段】わん曲状板の一方を逆Ｖ字状カットして突起を設け、もう一方の側には逆Ｖ字状切り込みを形成して突起と支持片を設け、中央部に摘みを構成することを特徴とする両面テープの剥離紙剥がし具。【選択図】図１
2013112816.tif 000002
【特許請求の範囲】
【請求項１】
わん曲状板の一方の側を逆Ｖ字状カットして突起を設け、もう一方の側にも逆Ｖ字状切り込みと支持片を形成し、中央部に摘みを設けた構成からなる両面テープの剥離紙剥がし具。
【発明の詳細な説明】
【技術分野】
【０００１】  本発明は、両面テープの剥離紙を容易に剥がし取る両面テープの剥離紙剥がし具に関するものである。
【背景技術】
【０００２】  従来、両面テープの剥離紙を容易に剥がす方法は爪や刃先などを利用したり、テープ本体の構造を変える方法が行われた。
【先行技術文献】
【０００３】
【特許文献１】  特開２００２ー２９４１８０号公報
【特許文献２】  特開２００８ー１５６５８３号公報
【特許文献３】  実用新案公開平７ー２１７４８号公報
【特許文献４】  登録実用新案第３０５６３３５号公報
【特許文献５】  登録実用新案第３１６３０７６号公報
【発明の概要】
【発明が解決しようとする課題】
【０００４】そのために次のような問題点があった。
（イ）爪を傷めたり、刃先で物の表面を傷つけたりした。
（ロ）剥がすのに手間がかかったり、壁やガラスなどの立面では剥がした剥離紙が散らばった。
（ハ）テープ本体の構造を変えるにはコスト高になった。
本発明は、これらの問題点を解決するためになされたものである。
【課題を解決するための手段】
【０００５】  わん曲状板の一方を逆Ｖ字状にカットして突起を設け、もう一方の側には逆Ｖ字状切り込みを形成し突起を設け、その外縁を剥離紙支持片とする。
そして中央部に摘みを設ける。
以上を特徴とする両面テープの剥離紙剥がし具である。
【発明の効果】
【０００６】  わん曲状板の突起が容易に剥離紙と両面粘着シートの間に入り込むことができ、爪を傷めたり、物の表面を傷つけることがなくなる。また壁面などへ粘着するときは支持片と突起によって剥離紙を支持し、剥がれ落ちるのを防止できる。
構造も簡単なので製造コストも安価である。
【図面の簡単な説明】
【０００７】
【図１】  本発明の斜視図である。
【図２】  本発明の平面図である。
【図３】  本発明の側面図である。
【図４】  本発明の一部使用図である。
【図５】  本発明の一部使用図である。
【図６】  本発明の実施例である。
【発明を実施するための形態】
【０００８】以下、本発明の実施の形態について説明する。
（イ）わん曲状板（１）の片側を逆Ｖ字状カット（２）にして突起（３）を形成する。
（ロ）もう一方の側に逆Ｖ字状切り込み（４）を設け、剥がした剥離紙（８）を支持する支持片（６）を形成する。
（ハ）中央部に摘み（５）を設ける。
本発明は以上の構成で、これを使用するときは摘み（５）を持って突起（３）を剥離紙（８）と両面粘着シート（７）の間に入り込ませて剥がす。短い剥離紙（８）を剥がすときは、逆Ｖ字状切り込み（４）の突起（３）を入り込ませ、支持片（６）と突起（３）によって剥がれた剥離紙（８）がとび散るのを防止する。
【符号の説明】
【０００９】１  わん曲状板
２  逆Ｖ字状カット
３  突起
４  逆Ｖ字状切り込み
５  摘み
６  支持片
７  両面粘着シート
８  剥離紙
【図１】
2013112816.tif 000003
【図２】
2013112816.tif 000004
【図３】
2013112816.tif 000005
【図４】
2013112816.tif 000006
【図５】
2013112816.tif 000007
【図６】
2013112816.tif 000008
(57)【要約】【課題】本発明は、外気温の温暖化・太陽光線に基づく温度上昇の抑制効果を有し、さらに放射線熱遮蔽膜・断熱遮蔽膜・熱線熱遮蔽膜等の効果から、建物・貯蔵庫等の外壁・内壁材・車両部材のガラス系等汎用性の提供を目的とする。【解決手段】上記の熱遮蔽膜材は、混練・混合・添加形成無機質・金属・木材・合成有機物質・有機無機質複合材構造状含有を特徴とする。【選択図】なし【特許請求の範囲】
【請求項１】
熱遮蔽膜を被塗装物質に形成する塗装を特徴とする。
【請求項２】
前記を特徴とする製造方法。
【請求項３】
前記に珪藻土顆粒を圧縮形成された熱遮蔽膜を特徴とする。
【請求項４】
前記を特徴とする製造方法。
【請求項５】
前記に高耐熱性のバインダーを混煉・添加・混合形成されたことを特徴とする。
【請求項６】
前記を特徴とする製造方法。
【請求項７】
前記の塗布量は、特定・限定しないことを特徴とする。
【請求項８】
前記を特徴とする製造方法。
【請求項９】
上記の混合形成を一種類、または二種類以上の活用することを特徴とする。
【請求項１０】
前記を特徴とする製造方法。
【請求項１１】
本発明の汎用性を、さらに塗料塗布を可能とする。
【請求項１２】
前記を特徴とする製造方法。
【請求項１３】
放射線熱遮蔽膜の保持を特徴とする放射線熱遮蔽組成物・素子。
【請求項１４】
前記を特徴とする製造方法。
【請求項１５】
断熱遮蔽膜の保持を特徴とする断熱遮蔽膜組成物・素子。
【請求項１６】
前記を特徴とする製造方法。
【請求項１７】
熱線熱遮蔽膜の保持を特徴とする熱線熱遮蔽膜組成物・素子。
【請求項１８】
前記を特徴とするその製造方法。
【請求項１９】
熱遮蔽膜パネルの保持を特徴とする熱遮蔽膜パネル組成物・素子。
【請求項２０】
熱遮蔽膜シートの保持を特徴とする熱遮蔽膜シート組成物・素子。
【請求項２１】
前記を特徴とする製造方法。
【請求項２２】
熱遮蔽樹脂膜の保持を特徴とする熱遮蔽樹脂膜組成物・素子。
【請求項２３】
前記を特徴とする製造方法。
【請求項２４】
各種熱遮蔽膜ガラスの保持を特徴とする熱遮蔽膜ガラス組成物・素子。
【請求項２５】
前記を特徴とする製造方法。
【請求項２６】
前記請求項１から２５記載の熱遮蔽膜の塗装方法によって形成を有することを特徴とする。
【発明の詳細な説明】
【技術分野】
【０００１】本発明は、太陽熱・放射線等の輻射熱・伝導熱による放射熱遮蔽膜・断熱遮蔽膜・熱線熱遮蔽膜・熱遮蔽膜パネルで補強される家屋・貯蔵施設・建造物等に付随した各種ガラス・各種フイルム・各種シート等の熱遮蔽効果の制御物質・組成物素子・粒子の熱遮蔽膜の製造方法に関する。
【背景技術】
【０００２】近年、気温上昇に伴い外気温の温暖化から省エネルギー対策が注目され重要課題となっている。家屋・建屋等の建造物・貯蔵施設の放射線熱遮蔽膜・断熱遮蔽膜・熱線熱遮蔽膜・熱遮蔽膜パネル・熱遮蔽膜シート・各種の熱遮蔽膜ガラス等の各用途の利用が望まれている。【０００３】しかし、放射線熱遮蔽膜・耐摩擦性熱遮蔽膜・親和性熱遮蔽膜・耐火性熱遮蔽膜・耐熱性熱遮蔽膜・断熱性熱遮蔽膜・防音性熱遮蔽膜・耐薬品性熱遮蔽膜・絶縁性熱遮蔽膜・耐腐食性熱遮蔽膜を持ち合わせている熱遮蔽膜材は得られていない。【０００４】本発明は、上記について解決するその製造方法。【０００５】本発明の特徴を全て持ち合わせる熱遮蔽膜形成材は無い。【０００６】本発明の熱遮蔽膜形成材には、耐摩擦性熱遮蔽膜・親和性熱遮蔽膜・耐火性熱遮蔽膜・耐熱性熱遮蔽膜・断熱性熱遮蔽膜・防音性熱遮蔽膜・耐薬品性熱遮蔽膜・絶縁性熱遮蔽膜・耐腐食性熱遮蔽膜等を持ち合わせている。
【発明の開示】
【発明が解決しようとする課題】
【０００７】昨今までの建築用部材・壁材・間仕切り材等には、耐摩擦性・親和性・耐火性・耐熱性・断熱性・防音性・耐薬品性・絶縁性・耐腐食性を個別に持ち合わせており多用途に大量に使用された。しかし、熱遮蔽形成の機能を有しながら衛生上の問題を起こさない代替が求められている。【０００８】本発明の塗料材に用いるシリカ含有量は７０〜８０質量％が好ましい。それ以下・以上は発泡が抑制されシリカ構造体効果が弱まる。
【課題を解決するための手段】
【０００９】シリカ質体の特性をもつ熱遮蔽材として用いることを可能とするための機能性を持つ水溶性高耐熱性バインダーの混練・混合成型を特徴としている。
【発明の効果】
【００１０】本発明に係わる熱遮蔽膜の塗装方法によると高性能効果を容易に形成することを特徴とする。【００１１】本発明は、耐摩擦性熱遮蔽膜・親和性熱遮蔽膜・耐火性熱遮蔽膜・耐熱性熱遮蔽膜・断熱性熱遮蔽膜・防音性熱遮蔽膜・消音性熱遮蔽膜・耐薬品性熱遮蔽膜・絶縁性熱遮蔽膜・耐腐食性熱遮蔽膜の効果・機能を可能とした。機能性材料として組み合わせることで軽量化・経済性・および環境に配慮した塗料を提供する。
【発明を実施するための最良の形態】
【００１２】本発明の一種類、または二種類以上の成型で遮熱物質体をつくる。次に遮熱膜混合塗料を有する。【００１３】熱遮蔽膜塗装方法の詳しくは、被塗装物上に７０％±５の多孔質材の塗布することで実行される。【００１４】熱遮蔽膜を塗布する被塗装物質を特定・限定しない。【００１５】上記、限定しない物質に無機質・金属・木材・合成有機物質・有機無機複合材の使用を特徴とする。【００１６】上記の特徴は、好ましくは、熱伝導率・蓄熱性の高いものを被塗装物とする。【００１７】上記の塗布量は限定しないことを特徴とする。【００１８】上記は、紫外線・可視光線の反射機能を有し環境配慮を特徴とする。
【産業上の利用可能性】
【００１９】本発明の放射線熱遮蔽膜積層物質体・断熱遮蔽膜積層物質体・熱線遮蔽膜積層物質体・熱遮蔽膜パネル積層物質体・熱遮蔽膜シート積層物質体・各種熱遮蔽膜ガラス積層物質体に要求される間仕切壁・内装材・外装・化粧スレート・建築家屋・建屋・建造物貯蔵庫等としての用途の汎用性と可能性を持つ。【００２０】本発明の上記塗料には、シリカ構造・不燃構造・接着構造の含有構造を有していることから放射線熱遮蔽膜・断熱性熱遮蔽膜・耐熱電気絶縁膜などの特性に優れ、多用途の汎用性・可能性をもつ。
(57)【要約】【課題】簡易な構造で、滑らかな発進及び加速が可能な自転車を提供する。【解決手段】チェンリングに平行に取り付けられたチェンリング牽引リングをペダルにより回転させ、チェンリング牽引リングに一端を連結した一つ又は複数のコイルばねの他の一端をチェンリングに連結し、当該コイルばねを介してチェンリングを牽引して回転させる構成とした。【選択図】図１
2013112331.tif 000002
【特許請求の範囲】
【請求項１】
チェンリングに平行に取り付けられたチェンリング牽引リングをペダルにより回転させ、チェンリング牽引リングに一端を連結した一つ又は複数のコイルばねの他の一端をチェンリングに連結し、当該コイルばねを介してチェンリングを回転させることを特徴とする自転車。
【請求項２】
コイルばねの代わりにゴムその他の弾性材料を用いた請求項１の自転車。
【発明の詳細な説明】
【技術分野】
【０００１】  この発明は、ばねその他の弾性体を介してチェンリングを牽引して回転させる自転車に関する。
【背景技術】
【０００２】  従来、滑らかな加速を得たり足への負担を軽減するために、チェンリングに力を伝達する際に弾性変形部を介在させ、圧縮された弾性変形部の復元力を利用するものが考案されている。（例えば、特許文献１参照。）
また、巻きばねを介在させるものが考案されている。（例えば、特許文献２参照。）
【先行技術文献】
【特許文献】
【０００３】
【特許文献１】特許第４４５６１７９号公報
【特許文献２】特開平９−７６９８０号公報
【発明の概要】
【発明が解決しようとする課題】
【０００４】  弾性変形部を圧縮しその復元力を利用するものについては、変形量を大きくすることは難しく、十分な効果を得ることは難しい。
巻きばねを使用するものについては、チェンリングの踏力への応答が必要以上に遅れ、自転車のコントロールが難しくなる。【０００５】  本発明は、簡易な構造で、滑らかな発進及び加速が可能な自転車を実現することを目的としている。
【課題を解決するための手段】
【０００６】  本発明（請求項１）の自転車は、チェンリングに平行に取り付けられたチェンリング牽引リングをペダルにより回転させ、チェンリング牽引リングに一端を連結した一つ又は複数のコイルばねの他の一端をチェンリングに連結し、当該コイルばねを介してチェンリングを牽引して回転させる構成とした。【０００７】  本発明（請求項２）の自転車は、請求項１の自転車のコイルばねの代わりにゴムその他の弾性材料を用いる構成とした。
【発明の効果】
【０００８】  本発明の自転車は、発進時には、ペダルを踏み込んでコイルばね又はその他の弾性体が一定程度引き伸ばされた時点から動き始める。巡航速度に達するまでに通常の自転車と同じだけペダルを回転させていたとすると、通常の自転車よりすばやい加速ができたことになる。自転車は、低速であるほど不安定になるので、すばやい加速は大きなメリットとなる。【０００９】  コイルばねやゴムその他の弾性材料は、引っ張りに対して大きな変形量を持っているので、発進時又は加速時に足がペダルから受ける衝撃を緩和する。
【図面の簡単な説明】
【００１０】
【図１】本発明の自転車のチェンリング周辺を右側から見た図である。
【図２】本発明の自転車のチェンリング牽引リングとチェンリングを左側から見た図である。
【図３】図１におけるＡ−Ａ線断面図である。
【発明を実施するための形態】
【００１１】  以下、本発明の実施の形態を図１〜図３に基づいて説明する。
【００１２】  チェンリング１は、回転軸保持部８により回転自在に軸支されている。チェンリング１には円周に平行なコイルばね牽引スペース３を１つ又は複数設ける。コイルばね牽引スペース３にはコイルばね固定こま４を設ける。コイルばね牽引スペース３の断面の形状は、コイルばね５が走行中にコイルばね牽引スペース３から逸脱せず、かつ、コイルばね牽引スペース３に嵌め込みコイルばね固定こま４に連結しやすい形状とする。
【００１３】  チェンリング牽引リング２は、ペダル軸９に固着されている。チェンリング牽引リング２にはコイルばね牽引こま６を設ける。牽引こま６は、コイルばね５に連結する。
【００１４】  ペダルを踏み込むと、クランク７に固着されているペダル軸９とそれに固着されているチェンリング牽引リング２が回転する。チェンリング牽引リング２に設けられたコイルばね牽引こま６に連結されたコイルばね５がチェンリング１を牽引して回転させる。
【符号の説明】
【００１５】１    チェンリング
２    チェンリング牽引リング
３    コイルばね牽引スペース
４    コイルばね固定こま
５    コイルばね
６    コイルばね牽引こま
７    クランク
８    回転軸保持部
９    ペダル軸
【図１】
2013112331.tif 000003
【図２】
2013112331.tif 000004
【図３】
2013112331.tif 000005
(57)【要約】【課題】  身心の疲れ健康の方法の求めを効用して施す。【解決手段】  リヤカーに屋根１を設け屋根１を高くしたり低くしたりする事が出来る様にして乗り込んで座る事が出来て体を伸ばして休む事が出来るのでちょとした旅や外出など雨露をしのいで寝泊まりが出来るので、いざと言う時の災害時などの役に立つ様にした手段のリヤカーである。【選択図】図３
2013112332.tif 000002
【特許請求の範囲】
【請求項１】
屋根１を高くしたり低くしたりする事が出来て一旦止めて人間が乗り込んで楽に座れる様に屋根１を高くして体を伸して楽に休息出来る様にして又移動する時風圧を低くして安定走行が出来る様に屋根１を低くして走行出来る物を特徴とするリヤカー
【請求項２】
この様な行為が一人で簡単に素早く出来る装置を取付けた物に車を取付けて牽引して移動する事が出来るようにした物
【発明の詳細な説明】
【技術分野】
【０００１】    この発明はリヤカーの活用方法に係り特に健康維持として使う事ができリヤカーの活用方法にかんするものである。
【背い景技術】
【０００２】    従来から、リヤカーは荷物の運搬に使はれているこのりヤカーは人間が雨露に濡れないように健康を害さない様に旅をしたり外出したときなどに生活ができるように工夫されたものである。
【発明の概要】
【発明が解決しよようとする課題】
【０００３】    そこで、人間が雨露をしのいで簡単に寝泊りできて簡単に移動できる、車のついた家があればと思いリヤカーで開発発明しました。
【０００４】    本発明は、このよぅなものリヤカーに着目して旅など移動するとき健康を害さないよぅにするための目的のリヤカーである。
【発明を解決するための手段】
【０００５】    このよぅな、目的を達成する本発明のリヤカーは屋根１の高さを自由に替える事ができるので移動する時は屋根１を下げて安定と風圧を下げて走行がでる、又移動しない時は人間が乗って楽に座れるように屋根１を上げて体を伸ばして休んで雨露の心配しなくてもすむので、心身の健康を害さないようにした手段です。
【発明の効果】
【０００６】    このよぅな、リヤカーを使用すれば心身の健康を害さす楽しく旅などが出来ていざと言う時、災害にも役にたつ物である。
【発明を実施するための形態】
【０００７】    以下の、本発明のリヤカーの使用方法の一形態について、図面を参昭して説明する。
【０００８】    本体２１の上に屋根１を取付け屋根１が図２の屋根１の様に片方を上に上げても、スムーズに屋根１が上がる様に上下運動補助機２を屋根１上下運動柱３の間に取付て屋根１の右後ろに屋根１のワク１１と屋根支えアーム１２に上下に開く様に蝶番１３を取付ける。
【０００９】    屋根１の外から片方をどうじに上え上げれば屋根１は軽く出来ているので上に上げれば、ストッパー１７で止り図３の様になる。
屋根１は外から上げる事は出来るが下げる時は内側からストッパー１７を外して屋根１お同時に下げる事ができる内側からは屋根１を下げても頭を少し下げれば自由に動く事が出来るので内側からは完全に屋根１をストッパー１７で止るまで上げ下げが出来る。
【００１０】    このリヤカーを人間が牽引する時はハンドル５をボルト一本で簡単に取付出来るので図２のハンドル５を付けて牽引する、また、バイク等で牽引する時は、図１の連結ハンドル４を取付て、道路など走れる道路をバイク等で牽引する場合い安全のためバイク等にソケットで電線をつないでブレーキランプ８が点灯する様に取付け安全に走行できる様にしたリヤカーである。
【図面の簡単な説明】
【００１１】
【図１】  本発明の屋根１を下げた時の側面図。
【図２】  本発明の屋根１の片方を上げた時の側面図。
【図３】  本発明の屋根１の両方を上げた時の側面図。
【図４】  本発明の屋根１と上下運動柱と上下運動補助機を取り付けて屋根１を下た時の部分を拡大した側面図。
【図５】  本発明の屋根１と上下運動柱を上下運動補助機で取付て屋根１の片方を上た時の部分を拡大した側面図。
【図６】  本発明の屋根１と上下運動柱と上下運動補助機で取付て両方の屋根１を上た時の部分を拡大した側面図。
【図７】  本発明の屋根１のワク１１に上下運動柱を上下運動補助機で取付た時を拡大して前から見た断面図。
【符号説明】
１      屋根              １１    屋根わく              ２１    本体
２      上下運動補助機    １２    屋根アーム
３      上下運動柱        １３    蝶番
４      連結ハンドル      １４    窓
５      牽引ハンドル      １５    扉
６      設置足            １６    中空柱止め具
７      車輪              １７    高さ止めストッパー
８      ブレーキランプ    １８    中空柱
９      シート            １９    ビニール板
１０    コロ              ２０    コノ字型歯止め
【図１】
2013112332.tif 000003
【図２】
2013112332.tif 000004
【図３】
2013112332.tif 000005
【図４】
2013112332.tif 000006
【図５】
2013112332.tif 000007
【図６】
2013112332.tif 000008
【図７】
2013112332.tif 000009
(57)【要約】【課題】  パソコンで文書の作成をするときに、原稿台に代わるスライド板を、パソコンの下（裏）に取り付けて、原稿と目の間の距離を縮めて原稿を見やすくした、原稿台を付けたパソコンを提供する。【解決手段】  原稿台に代わるスライド板をパソコンの下（裏）に取り付けて、パソコンの画面とキーボードとスライド板の原稿が、ひとつながりで見えるようにして、目の視線を変えるぐらいで、パソコンの入力操作がスムーズに出来るようにした、原稿台を付けたパソコンを特徴とする。【選択図】図１
2013134764.tif 000002
【特許請求の範囲】
【請求項１】
パソコンで文書の作成をする時に使用する原稿台に代わるスライド板を、パソコンの下（裏）に取り付けて、パソコンの画面とキーボードと原稿が、ひとつながりになって見えるようにして、原稿と目の間の距離も縮まり、原稿も見やすくなり、キーボードの入力操作もスムーズになる、原稿台を付けたことを特徴とするパソコン。
【請求項２】
スライド板は、中にクリップで原稿を留めるクリップボードを入れ、スライド板を引き出したときに、クリップボードは前にスライドして、スライド板の中に入る仕組みでスライド板の長さは原稿用紙の縦の長さの半分より少し長めで、原稿をクリップボードに載せたときに、原稿の上半分が見え下半分はクリップボードの先から出て下に垂れる上半分の原稿が載ったクリプボードを、指で前にスライドして、垂れていた原稿の下の半分が上にあがり全体が見える、ことを特徴とするスライド板。
【発明の詳細な説明】
【技術分野】
【０００１】  この発明は、パソコンで文書を作成するときの原稿台に関するものである。
【背景技術】
【０００２】  文書を作成するときの原稿台に、データホルダーや原稿ホルダーなどがありますが殆どがスタンドタイプやアームタイプで、パソコンと原稿台は別々になっている。
【先行技術文献】
【非特許文献】
【０００３】
【非特許文献１】  データホルダー（クリップボードとして持ち運びが可能で、ペン立て、メモ入れ付）スタンドタイプ、アームタイプ、サンワサプライ株式会社
【発明の概要】
【発明が解決しようとする課題】
【０００４】  文書作成の時に使用する原稿台に、データホルダーなどがあるが、多くがスタンドタイプやアームタイプで、使用するときに原稿台が無い、スタンドが倒れた、アームが外れるなどがあり、原稿と目の間にも距離があり目の視線がずれたり、文字の位置や行を見間違う事がある。
本発明は、以上のような欠点をなくすためになされたものである。
【課題を解決するための手段】
【０００５】  文書作成の時に使用する原稿台に代わり、スライド板をパソコンの下（裏）に取り付け一体にして、原稿と目の間の距離も縮まり、原稿も見やすくなり、キーボードを打つ姿勢で、キーボードの上のパソコンの画面と下の原稿が、ひとつながりになって見えるので、目の視線を変えるぐらいで、文書作成の入力操作がスムーズにできる。
【発明の効果】
【０００６】  原稿台がない、スタンドが倒れる、アームが外れる、などは無くなり原稿とキーボードと画面が、ひとつながりになって見えるようになり、目の視線を変えるぐらいでワープロ（文書作成機能）の入力操作がスムーズに出来るようになる。
【発明を実施するための形態】
【０００７】  原稿台に代わるスライド板（３）を、目に近い見やすい位置（パソコンの下）に取り付けて、パソコンの画面（２）キーボード（１）スライド板（３）がひとつながりになって見え、目の視線を変えるぐらいで入力操作が出来るようにした。（図１）
【０００８】  スライド板（３）は、中にスライドするクリップボード（４）が入り、スライド板（３）の長さは、原稿（６）の縦の長さの半分より少し長めで、原稿（６）を中のクリップボード（４）の上に乗せ、クリップ（５）で留め、この時原稿の上の半分が見えるようにして（図７−８）、原稿の下の半分（９）は、スライド板（３）がデスクの外に出ていればそこから垂れ（図２−７）、スライド板（３）がデスクの内にあっても原稿（６）がデスクの端から出たとこで垂れる（図３−７）。クリップボード（４）の上に載った原稿の上の半分（８）は、スライド板（３）は動かないでクリップボード（４）だけが前にスライドして、垂れていた原稿の下の半分（７）が上にあがり原稿（６）の全体を見る事ができる（図８）。
要は、原稿用紙をセットした時に原稿の上半分が見え、垂れて見えない原稿の下の半分は、指でスライドして上にあげ原稿全体を見る。
パソコンとパソコンを操作する人のあいだのスペースが、クリップボードを引き出した時の、クリップボードと原稿が垂れるスペースに、丁度いい距離になる。
図６の、スライド板の角（１０）は、原稿が横にズレないよう角を残したものです。
【産業上の利用可能性】
【０００９】  パソコンにスライド板を取り付けて一体になり、画面キーボード原稿がひとつながりになって見え、原稿と目の間の距離も縮まり原稿も見やすくなり、入力操作もスムーズになり利用可能である。
【図面の簡単な説明】
【００１０】
【図１】  本発明のパソコンにスライド板を付けた斜視図である。
【図２】  本発明のスライド板がデスクの外に出た側面図である。
【図３】  本発明のスライド板がデスクの内にある側面図である。
【図４】  本発明のスライド板を付けたパソコンの正面図である。
【図５】  本発明のスライド板を拡大した正面図である。
【図６】  本発明のスライド板の内部とクリップボードの斜視図である。
【図７】  本発明のスライド板に原稿をセットした平面図である。
【図８】  本発明のスライド板に原稿をスライドして奥に入れた平面図である。
【符号の説明】
【００１１】１    パソコンの本体（キーボード）
２    パソコンの画面
３    スライド板（原稿台）
４    クリップボード（前にスライドする）
５    クリップ（原稿を留める）
６    原稿（用紙）
７    原稿用紙の下部が下に垂れる
８    原稿用紙の上の半分が見える
９    原稿用紙の下の半分が見える
１０  スライド板の角（原稿が横にズレない）
１１  クリップボードの先（丸い）
１２  スライド板を引き出す
１３  原稿を指で軽く押してスライド板の奥に入れる
１４  パソコンの端
１５  パソコンの端とデスクの端の間
１６  デスクの端
１７  デスク
【図１】
2013134764.tif 000003
【図２】
2013134764.tif 000004
【図３】
2013134764.tif 000005
【図４】
2013134764.tif 000006
【図５】
2013134764.tif 000007
【図６】
2013134764.tif 000008
【図７】
2013134764.tif 000009
【図８】
2013134764.tif 000010
(57)【要約】【目的】桃を分割する場合において高級なカッターや高価な機械を必要とせず、簡単で安価な器具で桃を半分に短時間できれいに分割カットする桃割り器を提供することを目的とする。【構成】重ね合わせたカッター１，２を桃の一方から桃の中心まで果実のみをカットしながら挿入し、ついで同じく重ね合わせたカッター２，１を桃の反対側から桃の中心まで果実のみをカットしながら挿入する。  次に楔３を左右のカッターにほぼ均等にかかる位置で重ね合わさったカッター１，２の間に挿入し、左右のカッター１と２を同時に押し広げることにより果実４が種５と引き剥がされながら果実４のカット面を損傷することなく左右に分割される。【選択図】図５
2013055929.tif 000002
【特許請求の範囲】
【請求項１】
桃をカットする場合において、桃の両側から中心まで種を除く果実のみをカットする２枚合わせのカッターと、中心まで種を残して果実のみをカットした後２枚のカッターの間隔を広げるための機構または楔、テコ等の治具を備えたことを特徴とする桃割り器。
【発明の詳細な説明】
【発明の詳細な説明】
【産業上の利用分野】
【０００１】  本発明は、桃を分割するためのカッターに関するものである。
【背景技術】
【０００２】  従来の桃割り機や桃カッターを使って桃をカットする場合は、回転する円盤刃物あるいは鋭利な押切り刃物で種も一緒にカットする方法が用いられている。
【発明が解決しようとする課題】
【０００３】  従来の桃割り機や桃カッターでは、種も一緒にカットするため、刃物が高級なものが必要となり、また、カットに要する力も大きくなるため装置が大がかり、かつ全体として高価なものとなる。
【課題を解決するための手段】
【０００４】  上記課題を解決するために、種部をのぞいて桃の中心まで両側からカットする２枚合わせのカッターで果実だけを中心までカットする機構と、中心までカットしたまま楔あるいはネジ、テコ等の治具で２枚のカッターの間隔を押し広げ、種を果実から引きはがす機構とで桃割り器を構成するものである。
【作用】
【０００５】  上記のように構成された桃割り器は、桃を１方向ずつあるいは、両側から同時に中心まで果実のみをカットする。ついで２枚のカッターの間隔を押し広げていくことにより果実と種が剥離し桃が種をそのまま残した状態できれいに分割カットされる。
【実施例】
【０００６】  本発明の実施例について図面を参照して説明すると、図１はカッター一枚１の立体図である。  図２はカッター１とその対象カッター２を重ね合わせた立体図である。  図２の重ね合わせたカッター１，２を桃の左から桃の中心まで果実のみをカットしながら挿入し、ついで同じく図２の重ね合わせたカッター２，１を桃の右から桃の中心まで果実のみをカットしながら挿入する。その状態の立体図が図３であり、図３のように果実のみ４が中心まで左右両側からカットされ、種のみ５がカットされずに残った状態になる。【０００７】  次に図４の楔３を図５のごとく左右のカッターにほぼ均等にかかる位置で重ね合わさったカッター１，２の間に挿入し、図６，図７に示すようにカッター１と２を押し広げることにより果実４が種５と引き剥がされながら果実４のカット面を損傷することなく左右に分割される。
【発明の効果】
【０００８】  上記のように構成された桃割り器は、高級な刃物を必要とせず、さらにカットする力も小さくてすむため、大掛かりな装置や、強度も必要なくコンパクトで安価な器具で桃を短時間できれいにカットすることができる。
【図面の簡単な説明】
【図１】  カッター１枚の立体図である。
【図２】  ２枚合わせカッターの立体図である。
【図３】  桃をカッターで両側からカットした状態の立体図である。
【図４】  楔の立体図である
【図５】  カット後楔を挿入開始する時の立体図である。
【図６】  楔を挿入し種を残して果実が分割カットされた時の立体図である。
【図７】  楔を挿入し種を残して果実が分割カットされた時の側面断面図である。
【符号の説明】  １      カッター
２      １の対象カッター
３      楔
４      桃の果実
５      桃の種
【図１】
2013055929.tif 000003
【図２】
2013055929.tif 000004
【図３】
2013055929.tif 000005
【図４】
2013055929.tif 000006
【図５】
2013055929.tif 000007
【図６】
2013055929.tif 000008
【図７】
2013055929.tif 000009
(57)【要約】【課題】本発明は、釣りのときエサ箱と手拭きが一体化したエサ箱を提供する。【手段】エサ箱のフタの裏面にフックを設け、手拭きの角部にヒモ輪又は穴を設ける。手拭きを使用するときは、エサ箱の裏面のフックに手拭きのヒモ輪又は穴を掛けて、手拭きがエサ箱から離脱しないようにする。以上よりなる手拭きが付いた釣り用エサ箱【選択図】図３
2013055928.tif 000002
【特許請求の範囲】
【請求項１】
箱状のエサ箱の上面に開閉自在のフタを設け、フタの裏面にフックを設け、手拭きの端部にヒモ輪又は穴を設け、フタの裏面のフックに手拭きのヒモ輪又は穴を掛けることを特徴とする手拭きが付いた釣り用エサ箱。
【発明の詳細な説明】
【技術分野】
【０００１】本発明は釣り用エサ箱で箱の中にフックを付け、フックに手拭きを取り付け、箱の中に収納して、手拭きとエサ箱が一体化するエサ箱に関するものである。
【背景技術】
【０００２】従来、釣り用エサ箱は魚のエサを入れるだけに使用して手拭きは別の場所において使用していた。
【発明の概要】
【発明が解決しようとする課題】
【０００３】  そのために次の問題点があった。
（イ）エサを付け、地面もしくは別の場所に手拭きがあり、手を拭くまでに時間がかかっていた。
（ロ）風が吹いたら、手拭きが飛ばされていた。
本発明は、以上の問題点を解決するために、なされたものである。
【課題を解決するための手段】
【０００４】エサ箱の中に手拭きを収納し、箱のフタの中にフックを設し手拭きにはヒモ輪、穴等を設ける。使用する時はフタを開けたまま手拭きを取り出しフタのフックに手拭きのヒモ輪、穴等に取り付けて使用する釣り用エサ箱である。
【発明の効果】
【０００５】エサ箱の中に手拭きを収納し、使用時に手拭きを外に取り出しエサ箱に入れたエサを針に付けた時すぐに手拭きが出来、すばやく竿が振れる。又手拭きは箱から取り外し、洗えるのでいつも清潔で使用できる。
【図面の簡単な説明】
【０００６】
【図１】  本発明の斜視図
【図２】  本発明のエサ箱から取り出した手拭きの斜視図
【図３】  本発明のエサ箱と手拭きを取り付けた斜視図
【発明を実施するための形態】
【０００７】  以下、本発明の実施形態を説明する。
（イ）エサ箱（１）のフタ（２）の裏面にフック（３）を設ける。
（ロ）エサ箱（１）の中に出し入れする手拭き（４）の角部にヒモ輪又は穴（５）を設ける。
（ハ）エサ箱（１）から手拭き（４）を取り出し、フタ（２）の中のフック（３）に手拭き（４）のヒモ輪又は穴（５）を掛けて取り付ける。
本発明は以上のような構造でこれを使用するときはエサ箱にエサを入れ針にエサを付けたら手拭きですぐに手が清潔になる。
【符号の説明】
【０００８】  （１）エサ箱    （２）フタ    （３）フック
（４）手拭き    （５）ヒモ輪又は穴
【図１】
2013055928.tif 000003
【図２】
2013055928.tif 000004
【図３】
2013055928.tif 000005
(57)【要約】【課題】設置場所の自由度が高い容器を提供する。【解決手段】側面から中心部に向かい全高にわたって凹みがある形状とした。【選択図】図１
2013055930.tif 000002
【特許請求の範囲】
【請求項１】
側面から中心部に向かい全高にわたって凹みがある形状の容器。
【請求項２】
取っ手がある請求項１の容器。
【請求項３】
側面から中心部に向かう凹みの側面に近い部分の上部を覆った請求項１の容器。
【発明の詳細な説明】
【技術分野】
【０００１】  この発明は、側面から中心部に向かう全高にわたる凹みがある容器に関する。
【背景技術】
【０００２】  通常、容器の横断面は円形、楕円形、四角形又はその他の多角形となっているか、それらをベースに多少の凹凸をつけたものとなっており、基本的には大きな凹みはない形になっている。
【発明の概要】
【発明が解決しようとする課題】
【０００３】  ある用途においては、容器の側面自体が障害となって、置きたい位置に当該容器を置くことができない場合がある。
本発明は、このような障害を取り除くためになされたものである。
【課題を解決するための手段】
【０００４】  上記の課題を解決するために、本発明の容器は、側面から中心部に向かい全高にわたって凹みがある形状にした。
【発明の効果】
【０００５】  本発明（請求項１）の容器は、植物に付いた非飛翔性の害虫を捕集しようとするとき、当該植物の真下に置くことができるので、植物をゆすって害虫を落下させて地面に置いた容器でそれを受ける場合において効率が高くなる。
また、茎に密集した害虫を捕集する場合においても、片手で取っ手つきの本発明（請求項２）の容器を持ち、もう一方の手で刷毛等を使って効率よく捕集することができる。
また、本発明（請求項３）の容器は、容器を傾けた場合においても内容物がこぼれにくくなる。
【図面の簡単な説明】
【０００６】
【図１】本発明（請求項１）の容器の実施例の斜視図である。
【図２】本発明（請求項１）の容器の実施例の平面図である。
【図３】本発明（請求項２）の容器の実施例の斜視図である。
【図４】本発明（請求項３）の容器の実施例の斜視図である。
【図５】本発明（請求項１）の容器の使用例を示す斜視図である。
【図６】本発明（請求項２）の容器の使用例を示す斜視図である。
【発明を実施するための形態】
【０００７】  本発明の容器の実施の形態は、図１〜図４のとおりである。
【符号の説明】
【０００８】  １    本発明（請求項１）の容器
２    本発明（請求項２）の容器
３    取っ手
４    本発明（請求項３）の容器
５    覆い
６    植物
７    棒
８    刷毛
【図１】
2013055930.tif 000003
【図２】
2013055930.tif 000004
【図３】
2013055930.tif 000005
【図４】
2013055930.tif 000006
【図５】
2013055930.tif 000007
【図６】
2013055930.tif 000008
(57)【要約】【課題】  食パンやその他の食品に手で直接触れることなく道具も使わずに餡をのせたり、包んだりして味わうことのできるあんこシートを提供する。【解決手段】  豆、芋類などの餡に砂糖、寒天を加え、加熱し固め離水を防ぎ、シート状に型枠を用いて成型し、両面にビニルシートを貼り付け保護したものでシートをはがして食品の上にのせたり、包んだりして使用することを特徴とするあんこシート。【選択図】図１
2013055926.tif 000002
【特許請求の範囲】
【請求項１】
豆や芋などの餡に砂糖、寒天を加え、加熱し固め離水を防ぎ、シート状に型枠を用いて成型し、両面にビニルシートを貼り付け保護することを特徴とするあんこシート。
【発明の詳細な説明】
【技術分野】
【０００１】  本発明は食パンやその他の食品に手で直接触れることなく道具も使わずに餡をのせたり、包んだりして味わうことのできるあんこシートに関するものである。
【背景技術】
【０００２】  従来、餡は缶、ビン、パック包装などの容器に入れ販売されているので食品に加工して使用する際には手で成型をする。又はスプーンやヘラなどの道具を用いて使用されている。尚、スライス状チョコレートの発明が知られている。（特許文献１参照）
【特許文献１】特許公開平７−２３６４２２号公報
【発明の開示】
【発明が解決しようとする課題】
【０００３】  そのため、次のような問題点があった。
（イ）餡は缶、ビン、パック包装などの容器に入っているので、食品に加工して使用する      際、手で丸めたり、包んだりするとベタベタと手に付いてしまい衛生的に作業が出      来ず、様々な道具を使い成型するので手間がかかる。
（ロ）餡の固さは商品により違うので固すぎて食パンなどの柔らかい食品に塗りひろげた      りする際、潰れてしまい、餡の固さを調節する為、水分を足して加熱しなければな      らないので手軽に餡を使用できない。
【課題を解決するための手段】
【０００４】  豆、芋などの餡に砂糖、寒天などを加え、加熱し固め離水を防ぎ、シート状に型枠を用いて成型し、両面にビニルシートを貼り付け保護したものでシートをはがして食品の上にのせたり、包んだりして使用することを特徴とするあんこシートである。
【発明の効果】
【０００５】  本発明はシート状なので、食パンやその他の食品に手で触れることなく道具も使わずにビニルシートを剥がすことで餡をのせたり、包んだりして簡単に作業できる。ビニルシートで保護してあるので衛生的に使え、一定の厚みで食パンやその他の食品に使用することができる。
【発明を実施するための最良の形態】
【０００６】  以下、本発明の実施の形態を説明する。
（イ）小豆からなる生餡６００ｇに糖類５００ｇと水を加えて、加熱し小豆餡を作る。
（ロ）寒天４ｇと水を適量、混合し、加熱して溶かし、小豆餡に加えて練り上げる。
糖度５５〜６０度にして、粗熱を取る。
（ハ）ビニルシート（１）の上に型枠（３）を置き、枠の中にヘラを使い、小豆餡（４        ）をすり込む（ａ）、型枠をはずし、小豆餡（４）の上にビニルシート（２）を        かぶせ密着させる（ｂ）。
本発明は以上の構成で、これを使用するときは図１の示すように（２）のビニルシートをはがし（ｂ）、食パン（５）の上にのせ、ビニルシート（１）をはがして付着させる（ｃ）。そして、食する。
本発明の実施の形態では小豆餡を例に説明したが白餡、芋餡などその他の餡でも同様に製造できる。
【図面の簡単な説明】
【０００７】
【図１】本発明の斜視図・断面図
【図２】本発明の工程を示すフローチャート図
【０００８】１  ビニルシート
２  ビニルシート
３  型枠
４  小豆餡
５  食パン
【図１】
2013055926.tif 000003
【図２】
2013055926.tif 000004
(57)【要約】【課題】ＬＥＤ電球は、容易に着脱可能な構造になっていることを特徴としているため、特にホテル客室などの場所において、いたずら気分などの理由により、当該ＬＥＤ電球が盗難にあう事があり、盗難の発生を防止可能な照明光源を提供することを目的とする。【解決手段】本発明は、ＬＥＤ電球のアルミ等の筐体部の外周面にチェーン部材又はワイヤー部材を装着できるフック型またはネジ穴もしくは通し穴を具備したＬＥＤ電球であり、照明スタンドの傘等の金具を通し連結することを特徴とするＬＥＤ電球の盗難防止具である。【選択図】図１
2013055023.tif 000002
【特許請求の範囲】
【請求項１】
ＬＥＤ電球の筐体に盗難防止用の仕掛けとしてフック型またはネジ穴もしくは通し穴を具備したＬＥＤ電球。
【請求項２】
ＬＥＤ電球の筐体部分が、アルミ等の素材から形成され、筐体の形状に沿うようにフック型またはネジ穴もしくは通し穴を加工形成されていることを特徴とする請求項１に記載のＬＥＤ電球。
【発明の詳細な説明】
【技術分野】
【０００１】本発明は、既存の照明器具にそのまま取付可能なＬＥＤ電球に盗難防止用の装置を付けたＬＥＤ電球に関するものである。
【背景技術】
【０００２】ＬＥＤ電球は、光源に発光ダイオード（ＬＥＤ）を使用した照明であり、その使用そのものを指すこともあり、電球の代わりに使えるためこのように呼ばれる。【０００３】器具自体が白熱電球や電球型蛍光灯に比べると高価なものであるために、盗難の恐れも生じるのであり、従来の白熱電球や電球型蛍光灯の代替えにしているため、その取り付け・取り外しが極めて容易なために、従来の白熱電球や電球型蛍光灯の代わりにＬＥＤ電球をこの従来のソケットに装着すると、簡単に取り外され、盗難に遭遇するという問題が生じるのである。【０００４】このような問題は、これまで白熱電球や電球型蛍光灯本体に対する対応手段というものは全く考慮されていなかった、これに対処する手段や先行技術文献というものも全く存在していないのが現状である。
【先行技術文献】
【特許文献】
【０００５】
【特許文献１】特開２００５−１９０８９９号公報
【発明の概要】
【発明が解決しようとする課題】
【０００６】ＬＥＤ電球は、容易に着脱可能な構造になっていることを特徴としているため、特にホテル客室などの場所において、このような白熱電球や電球型蛍光灯などに比べ高価なＬＥＤ電球を使用した場合、いたずら気分などの理由により、当該ＬＥＤ電球が盗難にあう事があり、盗難の発生を防止可能な照明光源を提供することを目的とする。
【課題を解決するための手段】
【０００７】上記課題を解決するために、本発明は、の筐体部の外周面にチェーン部材又はワイヤー部材（盗難防止用器具部品）を枠体に直接加工した枠体から形成されていることを特徴とするＬＥＤ電球の盗難防止用器具部品の取付用装置である。【０００８】ＬＥＤ電球の筐体部分が、アルミ等の素材から形成され、筐体の形状に沿うようにフック型またはネジ穴もしくは通し穴を形成されている。
【発明を実施するための形態】
【０００９】図１乃至図５は、本発明の実施の形態に係るＬＥＤ電球の盗難防止用器具部品の取付用装置である。
【００１０】この盗難防止用器具部品の取付用装置は、図１に示すように、ＬＥＤ電球１の筐体３に加工されたフック型盗難防止部５１、または図２に示すようにネジ穴型盗難防止部５２、もしくは図３に示すように通し穴型盗難防止部５３を備えている。
【００１１】図４の示すような照明スタンドの笠部分の棒状の骨６等にＬＥＤ電球を連結させる。
【００１２】図５の示すように、ＬＥＤ電球の筐体部の外周面にチェーン部材又はワイヤー部材７を枠体に直接加工したフック型またはネジ穴型もしくは通し穴型に形成された部位と連結させる。
【発明の効果】
【００１３】以上説明したように、ＬＥＤ電球と照明スタンド等がチェーン部材又はワイヤーにより連結されているため、容易な持ち去りを防止でき、盗難の抑止力になる。
【図面の簡単な説明】
【００１４】
【図１】本発明に係るＬＥＤ電球筺体にフック型盗難防止部品を装着した説明図である。
【図２】本発明に係るＬＥＤ電球筺体にネジ穴盗難防止部品を装着した説明図である。
【図３】本発明に係るＬＥＤ電球筺体に通し穴型盗難防止部品を装着した説明図である。
【図４】本発明に係るＬＥＤ電球を照明スタンドに装着した説明図である。
【図５】本発明に係るＬＥＤ電球筺体側面の通し穴にチェーン部材又はワイヤー部材を通した説明図である。
【符号の説明】
【００１５】１    ＬＥＤ電球
２    ガラスカバー
３    筐体（アルミニウム）
４    口金
５１  フック型盗難防止部
５２  ネジ穴型盗難防止部
５３  通し穴型盗難防止部
６    スタンド笠の骨
７    チェーンまたはワイヤー
【図１】
2013055023.tif 000003
【図２】
2013055023.tif 000004
【図３】
2013055023.tif 000005
【図４】
2013055023.tif 000006
【図５】
2013055023.tif 000007